【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
２要素認証を使用して、ブロックされたメディアアセットと関連付けられる動作を認可するための方法であって、前記方法は、
視聴するためのメディアアセットにアクセスするための第１の要求および第１の認可コードの第１の入力を受信することであって、前記メディアアセットへのアクセスは、ブロックされる、ことと、
前記受信された第１の認可コードが記憶された第１の識別子に合致することを決定することに基づいて、前記メディアアセットへのアクセスを許可することと、
前記メディアアセットへのアクセスを許可することに続いて、前記ディアアセットに関連する動作を実行するための第２の要求および第２の認可コードの第２の入力を受信することと、
前記受信された第２の認可コードが記憶された第２の識別子に合致することを決定することに基づいて、前記メディアアセットに関連する前記動作を実行することと
を含む、方法。
【請求項２】
前記第２の要求を受信することに基づいて、
前記メディアアセットに関連する許容動作に関する情報に関して、クエリを行うことと、
前記情報から、第２の認可コードが前記メディアアセットに関連する前記動作を実行するために要求されることを決定することと、
前記第２の認可コードを認可データベースに伝送することと、
前記第２の認可コードを前記認可データベースに伝送することに応答して、第２の識別子に合致する前記伝送された第２の認可コードに基づいて、前記メディアアセットに関連する前記動作を実行する認可を許可するインジケーションを受信することと、
前記インジケーションを受信することに基づいて、前記メディアアセットに関連する前記動作を実行することと
をさらに含む、請求項１に記載の方法。
【請求項３】
ユーザと関連付けられる記憶された識別子を伴う複数のエントリを含むデータベース内のフィールドから、前記第１の記憶された識別子を読み出すことと、
前記第１の記憶された識別子の文字を前記受信された第１の認可コードの文字と比較することによって、前記第１の記憶された識別子が前記受信された第１の認可コードに合致するかどうかを決定することと、
前記第１の記憶された識別子が前記受信された第１の認可コードに合致することを決定することに応答して、
前記第１の記憶された識別子と関連付けられるフィールドから値を読み出すことと、
前記値に基づいて、前記第１の記憶された識別子によって識別される前記ユーザが前記メディアアセットへのアクセスを有するかどうかを決定することと
をさらに含む、請求項１〜２のいずれかに記載の方法。
【請求項４】
事前決定された期間にわたって前記メディアアセットを視聴するためのアクセスを許可するための命令を生成することと、
前記命令を実行することであって、前記命令は、データベース内の前記第１の記憶された識別子と関連付けられるフィールドの中に、一時的インジケーションを記憶し、前記メディアアセットを視聴するためのアクセスを許可する、ことと、
前記命令を実行することに応答して、経過時間を監視することと、
前記経過時間が前記事前決定された期間を超えることを決定することに応答して、前記メディアアセットを視聴するためのアクセスを許可するための前記一時的インジケーションを削除することと
をさらに含む、請求項１〜３のいずれかに記載の方法。
【請求項５】
ユーザ入力を受信し、記憶のために前記メディアアセットをスケジュールすることと、
前記ユーザ入力を受信することに応答して、対応する複数の動作へのアクセスを制限するための複数の選択可能なオプションを伴うユーザインターフェースを表示するために生成することと、
対応する動作へのアクセスを制限するための選択可能なオプションの選択を受信することと、
前記選択を受信することに応答して、データベースの中に、前記動作が前記第２の認可コードを要求するという情報を記憶することと
をさらに含む、請求項１〜４のいずれかに記載の方法。
【請求項６】
２要素認証を使用して、ブロックされたメディアアセットと関連付けられる動作を認可するためのシステムであって、前記システムは、
制御回路を備え、
前記制御回路は、
視聴するためのメディアアセットにアクセスするための第１の要求および第１の認可コードの第１の入力を受信することであって、前記メディアアセットへのアクセスは、ブロックされる、ことと、
前記受信された第１の認可コードが記憶された第１の識別子に合致することを決定することに基づいて、前記メディアアセットへのアクセスを許可することと、
前記メディアアセットへのアクセスを許可することに続いて、前記ディアアセットに関連する動作を実行するための第２の要求および第２の認可コードの第２の入力を受信することと、
前記受信された第２の認可コードが記憶された第２の識別子に合致することを決定することに基づいて、前記メディアアセットに関連する前記動作を実行することと
を行うように構成されている、システム。
【請求項７】
前記制御回路は、
前記第２の要求を受信することに基づいて、
前記メディアアセットに関連する許容動作に関する情報に関して、クエリを行うことと、
前記情報から、第２の認可コードが前記メディアアセットに関連する前記動作を実行するために要求されることを決定することと、
前記第２の認可コードを認可データベースに伝送することと、
前記第２の認可コードを前記認可データベースに伝送することに応答して、第２の識別子に合致する前記伝送された第２の認可コードに基づいて、前記メディアアセットに関連する前記動作を実行する認可を許可するインジケーションを受信することと、
前記インジケーションを受信することに基づいて、前記メディアアセットに関連する前記動作を実行することと
を行うようにさらに構成されている、請求項６に記載のシステム。
【請求項８】
前記制御回路はさらに、
ユーザと関連付けられる記憶された識別子を伴う複数のエントリを含むデータベース内のフィールドから、前記第１の記憶された識別子を読み出することと、
前記第１の記憶された識別子の文字を前記受信された第１の認可コードの文字と比較することによって、前記第１の記憶された識別子が前記受信された第１の認可コードに合致するかどうかを決定することと、
前記第１の記憶された識別子が前記受信された第１の認可コードに合致することを決定することに応答して、
前記第１の記憶された識別子と関連付けられるフィールドから値を読み出すことと、
前記値に基づいて、前記第１の記憶された識別子によって識別される前記ユーザが前記メディアアセットへのアクセスを有するかどうかを決定することと
を行うように構成されている、請求項６〜７のいずれかに記載のシステム。
【請求項９】
前記制御回路はさらに、
事前決定された期間にわたって前記メディアアセットを視聴するためのアクセスを許可するための命令を生成することと、
前記命令を実行することであって、前記命令は、データベース内の前記第１の記憶された識別子と関連付けられるフィールドの中に、一時的インジケーションを記憶し、前記メディアアセットを視聴するためのアクセスを許可する、ことと、
前記命令を実行することに応答して、経過時間を監視することと、
前記経過時間が前記事前決定された期間を超えることを決定することに応答して、前記メディアアセットを視聴するためのアクセスを許可するための前記一時的インジケーションを削除することと
を行うように構成されている、請求項６〜８のいずれかに記載のシステム。
【請求項１０】
前記制御回路はさらに、
ユーザ入力を受信し、記憶のために前記メディアアセットをスケジュールすることと、
前記ユーザ入力を受信することに応答して、対応する複数の動作へのアクセスを制限するための複数の選択可能なオプションを伴うユーザインターフェースを表示するために生成することと、
対応する動作へのアクセスを制限するための選択可能なオプションの選択を受信することと、
前記選択を受信することに応答して、データベースの中に、前記動作が前記第２の認可コードを要求するという情報を記憶することと
を行うように構成されている、請求項６〜９のいずれかに記載のシステム。
【手続補正２】
【補正対象書類名】明細書
【補正対象項目名】００２７
【補正方法】変更
【補正の内容】
【００２７】
上記で説明されるシステムおよび／または方法は、他のシステム、方法、および／または装置に適用される、またはそれらに従って使用され得ることに留意されたい。
本願明細書は、例えば、以下の項目も提供する。
（項目１）
２要素認証を使用して、ブロックされたメディアアセットと関連付けられる動作を認可するための方法であって、前記方法は、
視聴するためのメディアアセットにアクセスするための第１の要求および第１の認可コードの第１の入力を受信することであって、前記メディアアセットへのアクセスは、ブロックされる、ことと、
前記受信された第１の認可コードが記憶された第１の識別子に合致することを決定することに基づいて、前記メディアアセットを表示するために生成することと、
前記メディアアセットへのアクセスを許可することに続いて、前記ディアアセットに関連する動作を実行するための第２の要求および第２の認可コードの第２の入力を受信することと、
前記受信された第２の認可コードが記憶された第２の識別子に合致することを決定することに基づいて、前記メディアアセットに関連する前記動作を実行することと
を含む、方法。
（項目２）
２要素認証を使用して、ブロックされたメディアアセットと関連付けられる動作を認可するための方法であって、前記方法は、
ユーザ機器上で視聴するためのメディアアセットにアクセスするための第１の要求を受信することであって、前記メディアアセットへのアクセスは、ブロックされる、ことと、
第１の認可コードの第１の入力を受信することと、
前記受信された第１の認可コードが、前記メディアアセットを視聴するためのアクセスを許可する記憶された第１の識別子に合致することを決定することと、
前記受信された第１の認可コードが前記記憶された第１の識別子に合致することを決定することに基づいて、
表示するために前記メディアアセットを生成することと、
前記メディアアセットと関連付けられる動作を実行するための第２の要求を受信することと、
前記第２の要求を受信することに基づいて、
前記メディアアセットと関連付けられる許容動作に関する情報に関して、ペアレンタルコントロールデータベースにクエリを行うことと、
前記情報から、第２の認可コードが前記メディアアセットと関連付けられる前記動作を実行するために要求されることを決定することであって、前記第２の認可コードは、前記ユーザ機器から遠隔にあるトークン機構によって時間の関数として周期的に生成される、ことと、
第１の時間に生成される前記第２の認可コードの第２の入力を受信することと、
前記第１の時間に生成される前記第２の認可コードを認可データベースに伝送することと、
前記第１の時間に生成される前記第２の認可コードを前記認可データベースに伝送することに応答して、前記第１の時間に生成される第２の識別子に合致する前記伝送された第２の認可コードに基づいて、前記メディアアセットと関連付けられる前記動作を実行する認可を許可するインジケーションを受信することと、
前記受信された第２の認可コードが前記記憶された第２の識別子に合致するという前記インジケーションを受信することに基づいて、前記メディアアセットに関連する前記動作を実行することと
を含む、方法。
（項目３）
前記受信された第１の認可コードが、前記メディアアセットを視聴するためのアクセスを許可する前記第１の記憶された識別子に合致することを決定することは、
ユーザと関連付けられる記憶された識別子を伴う複数のエントリを含む前記ペアレンタルコントロールデータベース内のフィールドから、前記第１の記憶された識別子を読み出すことと、
前記第１の記憶された識別子の文字を前記受信された認可コードの文字と比較することによって、前記第１の記憶された識別子が前記受信された認可コードに合致するかどうかを決定することと、
前記第１の記憶された識別子が前記受信された認可コードに合致することを決定することに応答して、
前記第１の記憶された識別子と関連付けられるフィールドから値を読み出すことと、
前記値に基づいて、前記第１の記憶された識別子によって識別される前記ユーザが前記メディアアセットへのアクセスを有するかどうかを決定することと
を含む、項目２に記載の方法。
（項目４）
前記メディアアセットを表示するために生成することは、
事前決定された期間にわたって前記メディアアセットを視聴するためのアクセスを許可するための命令を生成することと、
前記命令を実行することであって、前記命令は、前記ペアレンタルコントロールデータベース内の前記第１の記憶された識別子と関連付けられるフィールドの中に、一時的インジケーションを記憶し、前記メディアアセットを視聴するためのアクセスを許可する、ことと、
前記命令を実行することに応答して、経過時間を監視することと、
前記経過時間が前記事前決定された期間を超えることを決定することに応答して、前記メディアアセットを視聴するためのアクセスを許可するための前記一時的インジケーションを削除することと
を含む、項目２に記載の方法。
（項目５）
ユーザ入力を受信し、記憶のために前記メディアアセットをスケジュールすることと、
前記ユーザ入力を受信することに応答して、対応する複数の動作へのアクセスを制限するための複数の選択可能なオプションを伴うユーザインターフェースを表示するために生成することと、
対応する動作へのアクセスを制限するための選択可能なオプションの選択を受信することと、
前記選択を受信することに応答して、前記ペアレンタルコントロールデータベースの中に、前記動作が前記第２の認可コードを要求するという情報を記憶することと
をさらに含む、項目２に記載の方法。
（項目６）
前記第１の時間に生成される前記第２の識別子に合致しない前記伝送された第２の認可コードに基づいて、前記メディアアセットと関連付けられる前記動作を実行する認可を許可しないインジケーションを受信することに応答して、前記ペアレンタルコントロールデータベースにクエリを行い、前記動作を可能にするための代替的な第２の認可コードがあるかどうかを決定することと、
前記動作を可能にするための前記代替的な第２の認可コードがあることを決定することに応答して、前記代替的な第２の認可コードを入力するためのインジケーションを表示するために生成することと
をさらに含む、項目２に記載の方法。
（項目７）
前記メディアアセットにアクセスしたユーザの識別子を含むユーザデータベースにアクセスすることと、
識別子と関連付けられる前記ユーザデータベース内のフィールドから、前記メディアアセットにアクセスしたユーザと関連付けられるデバイスの連絡先情報を読み出すことと、
前記メディアアセットと関連付けられる前記動作が受信されたという前記ユーザへの通知を前記連絡先情報に基づく前記デバイスに伝送することと
をさらに含む、項目２に記載の方法。
（項目８）
前記フィールドは、第１のフィールドであり、
前記デバイスから、前記動作を防止するためのインジケーションを受信することと、
前記インジケーションを前記メディアアセットと関連付けられる前記ペアレンタルコントロールデータベースの第２のフィールドの中に記憶することであって、前記インジケーションは、前記動作が実行されることを防止する、ことと
をさらに含む、項目７に記載の方法。
（項目９）
前記ユーザ機器は、第１のユーザ機器であり、前記メディアアセットに関連する前記動作を実行することは、
前記メディアアセットに対応するデータを含むメモリのブロックにアクセスすることと、
前記メディアアセットに対応する前記メモリのブロックの中に含まれる前記データを第２のユーザ機器にコピーすることと
を含む、項目２に記載の方法。
（項目１０）
前記データをコピーすることに応答して、前記ペアレンタルコントロールデータベース内の前記メディアアセットと関連付けられるフィールドの中に、前記メディアアセットが前記第２のユーザ機器にコピーされたというインジケーションを記憶することと、
前記第１のユーザ機器上で前記メディアアセットにアクセスするための第３の要求を受信することと、
前記メディアアセットが前記第２のユーザ機器にコピーされている間に、前記第１のユーザ機器上の前記メディアアセットへのアクセスを防止することと
をさらに含む、項目９に記載の方法。
（項目１１）
前記メディアアセットに関連する前記動作を実行することは、
現在記憶されているメディアアセットを含む視聴進捗データ構造にアクセスすることと、
前記メディアアセットのためのフィールドの中に、前記メディアアセットが最後まで視聴されたというインジケーションを記憶することと
を含む、項目２に記載の方法。
（項目１２）
２要素認証を使用して、ブロックされたメディアアセットと関連付けられる動作を認可するためのシステムであって、前記システムは、
制御回路であって、前記制御回路は、
ユーザ機器上で視聴するためのメディアアセットにアクセスするための第１の要求を受信することであって、前記メディアアセットへのアクセスは、ブロックされる、ことと、
第１の認可コードの第１の入力を受信することと、
前記受信された第１の認可コードが、前記メディアアセットを視聴するためのアクセスを許可する記憶された第１の識別子に合致することを決定することと、
前記受信された第１の認可コードが前記記憶された第１の識別子に合致することを決定することに基づいて、
表示するために前記メディアアセットを生成することと、
前記メディアアセットと関連付けられる動作を実行するための第２の要求を受信することと、
前記第２の要求を受信することに基づいて、
前記メディアアセットと関連付けられる許容動作に関する情報に関して、ペアレンタルコントロールデータベースにクエリを行うことと、
前記情報から、第２の認可コードが前記メディアアセットと関連付けられる前記動作を実行するために要求されることを決定することであって、前記第２の認可コードは、前記ユーザ機器から遠隔にあるトークン機構によって時間の関数として周期的に生成される、ことと、
第１の時間に生成される前記第２の認可コードの第２の入力を受信することと、
前記第１の時間に生成される前記第２の認可コードを認可データベースに伝送することと、
前記第１の時間に生成される前記第２の認可コードを前記認可データベースに伝送することに応答して、前記第１の時間に生成される第２の識別子に合致する前記伝送された第２の認可コードに基づいて、前記メディアアセットと関連付けられる前記動作を実行する認可を許可するインジケーションを受信することと、
前記受信された第２の認可コードが前記記憶された第２の識別子に合致するという前記インジケーションを受信することに基づいて、前記メディアアセットに関連する前記動作を実行することと
を行うように構成されている、制御回路
を備える、システム。
（項目１３）
前記制御回路はさらに、前記受信された第１の認可コードが、前記メディアアセットを視聴するためのアクセスを許可する前記第１の記憶された識別子に合致することを決定するときに、
ユーザと関連付けられる記憶された識別子を伴う複数のエントリを含む前記ペアレンタルコントロールデータベース内のフィールドから、前記第１の記憶された識別子を読み出することと、
前記第１の記憶された識別子の文字を前記受信された認可コードの文字と比較することによって、前記第１の記憶された識別子が前記受信された認可コードに合致するかどうかを決定することと、
前記第１の記憶された識別子が前記受信された認可コードに合致することを決定することに応答して、
前記第１の記憶された識別子と関連付けられるフィールドから値を読み出すことと、
前記値に基づいて、前記第１の記憶された識別子によって識別される前記ユーザが前記メディアアセットへのアクセスを有するかどうかを決定することと
を行うように構成されている、項目１２に記載のシステム。
（項目１４）
前記制御回路はさらに、前記メディアアセットを表示するために生成するときに、
事前決定された期間にわたって前記メディアアセットを視聴するためのアクセスを許可するための命令を生成することと、
前記命令を実行することであって、前記命令は、前記ペアレンタルコントロールデータベース内の前記第１の記憶された識別子と関連付けられるフィールドの中に、一時的インジケーションを記憶し、前記メディアアセットを視聴するためのアクセスを許可する、ことと、
前記命令を実行することに応答して、経過時間を監視することと、
前記経過時間が前記事前決定された期間を超えることを決定することに応答して、前記メディアアセットを視聴するためのアクセスを許可するための前記一時的インジケーションを削除することと
を行うように構成されている、項目１２に記載のシステム。
（項目１５）
前記制御回路はさらに、
ユーザ入力を受信し、記憶のために前記メディアアセットをスケジュールすることと、
前記ユーザ入力を受信することに応答して、対応する複数の動作へのアクセスを制限するための複数の選択可能なオプションを伴うユーザインターフェースを表示するために生成することと、
対応する動作へのアクセスを制限するための選択可能なオプションの選択を受信することと、
前記選択を受信することに応答して、前記ペアレンタルコントロールデータベースの中に、前記動作が前記第２の認可コードを要求するという情報を記憶することと
を行うように構成されている、項目１２に記載のシステム。
（項目１６）
前記制御回路はさらに、
前記第１の時間に生成される前記第２の識別子に合致しない前記伝送された第２の認可コードに基づいて、前記メディアアセットと関連付けられる前記動作を実行する認可を許可しないインジケーションを受信することに応答して、前記ペアレンタルコントロールデータベースにクエリを行い、前記動作を可能にするための代替的な第２の認可コードがあるかどうかを決定することと、
前記動作を可能にするための前記代替的な第２の認可コードがあることを決定することに応答して、前記代替的な第２の認可コードを入力するためのインジケーションを表示するために生成することと
を行うように構成されている、項目１２に記載のシステム。
（項目１７）
前記制御回路はさらに、
前記メディアアセットにアクセスしたユーザの識別子を含むユーザデータベースにアクセスすることと、
識別子と関連付けられる前記ユーザデータベース内のフィールドから、前記メディアアセットにアクセスしたユーザと関連付けられるデバイスの連絡先情報を読み出すことと、
前記メディアアセットと関連付けられる前記動作が受信されたという前記ユーザへの通知を前記連絡先情報に基づく前記デバイスに伝送することと
を行うように構成されている、項目１２に記載のシステム。
（項目１８）
前記フィールドは、第１のフィールドであり、前記制御回路はさらに、
前記デバイスから、前記動作を防止するためのインジケーションを受信することと、
前記インジケーションを前記メディアアセットと関連付けられる前記ペアレンタルコントロールデータベースの第２のフィールドの中に記憶することであって、前記インジケーションは、前記動作が実行されることを防止する、ことと
を行うように構成されている、項目１７に記載のシステム。
（項目１９）
前記ユーザ機器は、第１のユーザ機器であり、前記制御回路は、前記メディアアセットに関連する前記動作を実行するときに、
前記メディアアセットに対応するデータを含むメモリのブロックにアクセスすることと、
前記メディアアセットに対応する前記メモリのブロックの中に含まれる前記データを第２のユーザ機器にコピーすることと
を行うように構成されている、項目１２に記載のシステム。
（項目２０）
前記制御回路はさらに、
前記データをコピーすることに応答して、前記ペアレンタルコントロールデータベース内の前記メディアアセットと関連付けられるフィールドの中に、前記メディアアセットが前記第２のユーザ機器にコピーされたというインジケーションを記憶することと、
前記第１のユーザ機器上で前記メディアアセットにアクセスするための第３の要求を受信することと、
前記メディアアセットが前記第２のユーザ機器にコピーされている間に、前記第１のユーザ機器上の前記メディアアセットへのアクセスを防止することと
を行うように構成されている、項目１９に記載のシステム。
（項目２１）
前記制御回路はさらに、前記メディアアセットに関連する前記動作を実行するときに、
現在記憶されているメディアアセットを含む視聴進捗データ構造にアクセスすることと、
前記メディアアセットのためのフィールドの中に、前記メディアアセットが最後まで視聴されたというインジケーションを記憶することと
を行うように構成されている、項目１２に記載のシステム。
（項目２２）
２要素認証を使用して、ブロックされたメディアアセットと関連付けられる動作を認可するための装置であって、
ユーザ機器上で視聴するためのメディアアセットにアクセスするための第１の要求を受信するための手段であって、前記メディアアセットへのアクセスは、ブロックされる、手段と、
第１の認可コードの第１の入力を受信するための手段と、
前記受信された第１の認可コードが、前記メディアアセットを視聴するためのアクセスを許可する記憶された第１の識別子に合致することを決定するための手段と、
前記受信された第１の認可コードが前記記憶された第１の識別子に合致することを決定することに基づいて、
表示するために前記メディアアセットを生成するための手段と、
前記メディアアセットと関連付けられる動作を実行するための第２の要求を受信するための手段と、
前記第２の要求を受信することに基づいて、
前記メディアアセットと関連付けられる許容動作に関する情報に関して、ペアレンタルコントロールデータベースにクエリを行うための手段と、
前記情報から、第２の認可コードが前記メディアアセットと関連付けられる前記動作を実行するために要求されることを決定するための手段であって、前記第２の認可コードは、前記ユーザ機器から遠隔にあるトークン機構によって時間の関数として周期的に生成される、手段と、
第１の時間に生成される前記第２の認可コードの第２の入力を受信するための手段と、
前記第１の時間に生成される前記第２の認可コードを認可データベースに伝送するための手段と、
前記第１の時間に生成される前記第２の認可コードを前記認可データベースに伝送することに応答して、前記第１の時間に生成される第２の識別子に合致する前記伝送された第２の認可コードに基づいて、前記メディアアセットと関連付けられる前記動作を実行する認可を許可するインジケーションを受信するための手段と、
前記受信された第２の認可コードが前記記憶された第２の識別子に合致するという前記インジケーションを受信することに基づいて、前記メディアアセットに関連する前記動作を実行するための手段と
を備える、装置。
（項目２３）
前記受信された第１の認可コードが、前記メディアアセットを視聴するためのアクセスを許可する前記第１の記憶された識別子に合致することを決定するための前記手段は、
ユーザと関連付けられる記憶された識別子を伴う複数のエントリを含む前記ペアレンタルコントロールデータベース内のフィールドから、前記第１の記憶された識別子を読み出すための手段と、
前記第１の記憶された識別子の文字を前記受信された認可コードの文字と比較することによって、前記第１の記憶された識別子が前記受信された認可コードに合致するかどうかを決定するための手段と、
前記第１の記憶された識別子が前記受信された認可コードに合致することを決定することに応答して、
前記第１の記憶された識別子と関連付けられるフィールドから値を読み出すための手段と、
前記値に基づいて、前記第１の記憶された識別子によって識別される前記ユーザが前記メディアアセットへのアクセスを有するかどうかを決定するための手段と
を備える、項目２２に記載の装置。
（項目２４）
前記メディアアセットを表示するために生成するための前記手段は、
事前決定された期間にわたって前記メディアアセットを視聴するためのアクセスを許可するための命令を生成するための手段と、
前記命令を実行するための手段であって、前記命令は、前記ペアレンタルコントロールデータベース内の前記第１の記憶された識別子と関連付けられるフィールドの中に、一時的インジケーションを記憶し、前記メディアアセットを視聴するためのアクセスを許可する、手段と、
前記命令を実行することに応答して、経過時間を監視するための手段と、
前記経過時間が前記事前決定された期間を超えることを決定することに応答して、前記メディアアセットを視聴するためのアクセスを許可するための前記一時的インジケーションを削除するための手段と
を備える、項目２２に記載の装置。
（項目２５）
ユーザ入力を受信し、記憶のために前記メディアアセットをスケジュールするための手段と、
前記ユーザ入力を受信することに応答して、対応する複数の動作へのアクセスを制限するための複数の選択可能なオプションを伴うユーザインターフェースを表示するために生成するための手段と、
対応する動作へのアクセスを制限するための選択可能なオプションの選択を受信するための手段と、
前記選択を受信することに応答して、前記ペアレンタルコントロールデータベースの中に、前記動作が前記第２の認可コードを要求するという情報を記憶するための手段と
をさらに備える、項目２２に記載の装置。
（項目２６）
前記第１の時間に生成される前記第２の識別子に合致しない前記伝送された第２の認可コードに基づいて、前記メディアアセットと関連付けられる前記動作を実行する認可を許可しないインジケーションを受信することに応答して、前記ペアレンタルコントロールデータベースにクエリを行い、前記動作を可能にするための代替的な第２の認可コードがあるかどうかを決定するための手段と、
前記動作を可能にするための前記代替的な第２の認可コードがあることを決定することに応答して、前記代替的な第２の認可コードを入力するためのインジケーションを表示するために生成するための手段と
をさらに備える、項目２２に記載の装置。
（項目２７）
前記メディアアセットにアクセスしたユーザの識別子を含むユーザデータベースにアクセスするための手段と、
識別子と関連付けられる前記ユーザデータベース内のフィールドから、前記メディアアセットにアクセスしたユーザと関連付けられるデバイスの連絡先情報を読み出すための手段と、
前記メディアアセットと関連付けられる前記動作が受信されたという前記ユーザへの通知を前記連絡先情報に基づく前記デバイスに伝送するための手段と
をさらに備える、項目２２に記載の装置。
（項目２８）
前記フィールドは、第１のフィールドであり、
前記デバイスから、前記動作を防止するためのインジケーションを受信するための手段と、
前記インジケーションを前記メディアアセットと関連付けられる前記ペアレンタルコントロールデータベースの第２のフィールドの中に記憶するための手段であって、前記インジケーションは、前記動作が実行されることを防止する、手段と
をさらに備える、項目２７に記載の装置。
（項目２９）
前記ユーザ機器は、第１のユーザ機器であり、前記メディアアセットに関連する前記動作を実行するための前記手段は、
前記メディアアセットに対応するデータを含むメモリのブロックにアクセスするための手段と、
前記メディアアセットに対応する前記メモリのブロックの中に含まれる前記データを第２のユーザ機器にコピーするための手段と
を備える、項目２２に記載の装置。
（項目３０）
前記データをコピーすることに応答して、前記ペアレンタルコントロールデータベース内の前記メディアアセットと関連付けられるフィールドの中に、前記メディアアセットが前記第２のユーザ機器にコピーされたというインジケーションを記憶するための手段と、
前記第１のユーザ機器上で前記メディアアセットにアクセスするための第３の要求を受信するための手段と、
前記メディアアセットが前記第２のユーザ機器にコピーされている間に、前記第１のユーザ機器上の前記メディアアセットへのアクセスを防止するための手段と
をさらに備える、項目２９に記載の装置。
（項目３１）
前記メディアアセットに関連する前記動作を実行するための前記手段は、
現在記憶されているメディアアセットを含む視聴進捗データ構造にアクセスするための手段と、
前記メディアアセットのためのフィールドの中に、前記メディアアセットが最後まで視聴されたというインジケーションを記憶するための手段と
を備える、項目２２に記載の装置。
（項目３２）
２要素認証を使用して、ブロックされたメディアアセットと関連付けられる動作を認可するためのその上にエンコードされた命令を伴うメモリを備える、非一過性の機械可読媒体であって、前記命令は、
ユーザ機器上で視聴するためのメディアアセットにアクセスするための第１の要求を受信するための命令であって、前記メディアアセットへのアクセスは、ブロックされる、命令と、
第１の認可コードの第１の入力を受信するための命令と、
前記受信された第１の認可コードが、前記メディアアセットを視聴するためのアクセスを許可する記憶された第１の識別子に合致することを決定するための命令と、
前記受信された第１の認可コードが前記記憶された第１の識別子に合致することを決定することに基づいて、
表示するために前記メディアアセットを生成するための命令と、
前記メディアアセットと関連付けられる動作を実行するための第２の要求を受信するための命令と、
前記第２の要求を受信することに基づいて、
前記メディアアセットと関連付けられる許容動作に関する情報に関して、ペアレンタルコントロールデータベースにクエリを行うための命令と、
前記情報から、第２の認可コードが前記メディアアセットと関連付けられる前記動作を実行するために要求されることを決定するための命令であって、前記第２の認可コードは、前記ユーザ機器から遠隔にあるトークン機構によって時間の関数として周期的に生成される、命令と、
第１の時間に生成される前記第２の認可コードの第２の入力を受信するための命令と、
前記第１の時間に生成される前記第２の認可コードを認可データベースに伝送するための命令と、
前記第１の時間に生成される前記第２の認可コードを前記認可データベースに伝送することに応答して、前記第１の時間に生成される第２の識別子に合致する前記伝送された第２の認可コードに基づいて、前記メディアアセットと関連付けられる前記動作を実行する認可を許可するインジケーションを受信するための命令と、
前記受信された第２の認可コードが前記記憶された第２の識別子に合致するという前記インジケーションを受信することに基づいて、前記メディアアセットに関連する前記動作を実行するための命令と
を備える、非一過性の機械可読媒体。
（項目３３）
前記受信された第１の認可コードが、前記メディアアセットを視聴するためのアクセスを許可する前記第１の記憶された識別子に合致することを決定するための前記命令は、
ユーザと関連付けられる記憶された識別子を伴う複数のエントリを含む前記ペアレンタルコントロールデータベース内のフィールドから、前記第１の記憶された識別子を読み出すための命令と、
前記第１の記憶された識別子の文字を前記受信された認可コードの文字と比較することによって、前記第１の記憶された識別子が前記受信された認可コードに合致するかどうかを決定するための命令と、
前記第１の記憶された識別子が前記受信された認可コードに合致することを決定することに応答して、
前記第１の記憶された識別子と関連付けられるフィールドから値を読み出すための命令と、
前記値に基づいて、前記第１の記憶された識別子によって識別される前記ユーザが前記メディアアセットへのアクセスを有するかどうかを決定するための命令と
を備える、項目３２に記載の非一過性の機械可読媒体。
（項目３４）
前記メディアアセットを表示するために生成するための前記命令は、
事前決定された期間にわたって前記メディアアセットを視聴するためのアクセスを許可するための命令を生成するための命令と、
前記命令を実行するための命令であって、前記命令は、前記ペアレンタルコントロールデータベース内の前記第１の記憶された識別子と関連付けられるフィールドの中に、一時的インジケーションを記憶し、前記メディアアセットを視聴するためのアクセスを許可する、命令と、
前記命令を実行することに応答して、経過時間を監視するための命令と、
前記経過時間が前記事前決定された期間を超えることを決定することに応答して、前記メディアアセットを視聴するためのアクセスを許可するための前記一時的インジケーションを削除するための命令と
を備える、項目３２に記載の非一過性の機械可読媒体。
（項目３５）
前記命令はさらに、
ユーザ入力を受信し、記憶のために前記メディアアセットをスケジュールするための命令と、
前記ユーザ入力を受信することに応答して、対応する複数の動作へのアクセスを制限するための複数の選択可能なオプションを伴うユーザインターフェースを表示するために生成するための命令と、
対応する動作へのアクセスを制限するための選択可能なオプションの選択を受信するための命令と、
前記選択を受信することに応答して、前記ペアレンタルコントロールデータベースの中に、前記動作が前記第２の認可コードを要求するという情報を記憶するための命令と
を備える、項目３２に記載の非一過性の機械可読媒体。
（項目３６）
前記命令はさらに、
前記第１の時間に生成される前記第２の識別子に合致しない前記伝送された第２の認可コードに基づいて、前記メディアアセットと関連付けられる前記動作を実行する認可を許可しないインジケーションを受信することに応答して、前記ペアレンタルコントロールデータベースにクエリを行い、前記動作を可能にするための代替的な第２の認可コードがあるかどうかを決定するための命令と、
前記動作を可能にするための前記代替的な第２の認可コードがあることを決定することに応答して、前記代替的な第２の認可コードを入力するためのインジケーションを表示するために生成するための命令と
を備える、項目３２に記載の非一過性の機械可読媒体。
（項目３７）
前記命令はさらに、
前記メディアアセットにアクセスしたユーザの識別子を含むユーザデータベースにアクセスするための命令と、
識別子と関連付けられる前記ユーザデータベース内のフィールドから、前記メディアアセットにアクセスしたユーザと関連付けられるデバイスの連絡先情報を読み出すための命令と、
前記メディアアセットと関連付けられる前記動作が受信されたという前記ユーザへの通知を前記連絡先情報に基づく前記デバイスに伝送するための命令と
を備える、項目３２に記載の非一過性の機械可読媒体。
（項目３８）
前記フィールドは、第１のフィールドであり、前記命令はさらに、
前記デバイスから、前記動作を防止するためのインジケーションを受信するための命令と、
前記インジケーションを前記メディアアセットと関連付けられる前記ペアレンタルコントロールデータベースの第２のフィールドの中に記憶するための命令であって、前記インジケーションは、前記動作が実行されることを防止する、命令と
を備える、項目３７に記載の非一過性の機械可読媒体。
（項目３９）
前記ユーザ機器は、第１のユーザ機器であり、前記メディアアセットに関連する前記動作を実行するための前記命令は、
前記メディアアセットに対応するデータを含むメモリのブロックにアクセスするための命令と、
前記メディアアセットに対応する前記メモリのブロックの中に含まれる前記データを第２のユーザ機器にコピーするための命令と
を備える、項目３２に記載の非一過性の機械可読媒体。
（項目４０）
前記命令はさらに、
前記データをコピーすることに応答して、前記ペアレンタルコントロールデータベース内の前記メディアアセットと関連付けられるフィールドの中に、前記メディアアセットが前記第２のユーザ機器にコピーされたというインジケーションを記憶するための命令と、
前記第１のユーザ機器上で前記メディアアセットにアクセスするための第３の要求を受信するための命令と、
前記メディアアセットが前記第２のユーザ機器にコピーされている間に、前記第１のユーザ機器上の前記メディアアセットへのアクセスを防止するための命令と
を備える、項目３９に記載の非一過性の機械可読媒体。
（項目４１）
前記メディアアセットに関連する前記動作を実行するための前記命令は、
現在記憶されているメディアアセットを含む視聴進捗データ構造にアクセスするための命令と、
前記メディアアセットのためのフィールドの中に、前記メディアアセットが最後まで視聴されたというインジケーションを記憶するための命令と
を備える、項目３２に記載の非一過性の機械可読媒体。
（項目４２）
２要素認証を使用して、ブロックされたメディアアセットと関連付けられる動作を認可するための方法であって、前記方法は、
ユーザ機器上で視聴するためのメディアアセットにアクセスするための第１の要求を受信することであって、前記メディアアセットへのアクセスは、ブロックされる、ことと、
第１の認可コードの第１の入力を受信することと、
前記受信された第１の認可コードが、前記メディアアセットを視聴するためのアクセスを許可する記憶された第１の識別子に合致することを決定することと、
前記受信された第１の認可コードが前記記憶された第１の識別子に合致することを決定することに基づいて、
表示するために前記メディアアセットを生成することと、
前記メディアアセットと関連付けられる動作を実行するための第２の要求を受信することと、
前記第２の要求を受信することに基づいて、
前記メディアアセットと関連付けられる許容動作に関する情報に関して、クエリを行うことと、
前記情報から、第２の認可コードが前記メディアアセットと関連付けられる前記動作を実行するために要求されることを決定することであって、前記第２の認可コードは、前記ユーザ機器から遠隔にあるトークン機構によって時間の関数として周期的に生成される、ことと、
第１の時間に生成される前記第２の認可コードの第２の入力を受信することと、
前記第１の時間に生成される前記第２の認可コードを認可データベースに伝送することと、
前記第１の時間に生成される前記第２の認可コードを前記認可データベースに伝送することに応答して、前記第１の時間に生成される第２の識別子に合致する前記伝送された第２の認可コードに基づいて、前記メディアアセットと関連付けられる前記動作を実行する認可を許可するインジケーションを受信することと、
前記受信された第２の認可コードが前記記憶された第２の識別子に合致するという前記インジケーションを受信することに基づいて、前記メディアアセットに関連する前記動作を実行することと
を含む、方法。
（項目４３）
ユーザと関連付けられる記憶された識別子を伴う複数のエントリを含むペアレンタルコントロールデータベース内のフィールドから、前記第１の記憶された識別子を読み出すことと、
前記第１の記憶された識別子の文字を前記受信された認可コードの文字と比較することによって、前記第１の記憶された識別子が前記受信された認可コードに合致するかどうかを決定することと、
前記第１の記憶された識別子が前記受信された認可コードに合致することを決定することに応答して、
前記第１の記憶された識別子と関連付けられるフィールドから値を読み出すことと、
前記値に基づいて、前記第１の記憶された識別子によって識別される前記ユーザが前記メディアアセットへのアクセスを有するかどうかを決定することと
をさらに含む、項目４２に記載の方法。
（項目４４）
事前決定された期間にわたって前記メディアアセットを視聴するためのアクセスを許可するための命令を生成することと、
前記命令を実行することであって、前記命令は、前記ペアレンタルコントロールデータベース内の前記第１の記憶された識別子と関連付けられるフィールドの中に、一時的インジケーションを記憶し、前記メディアアセットを視聴するためのアクセスを許可する、ことと、
前記命令を実行することに応答して、経過時間を監視することと、
前記経過時間が前記事前決定された期間を超えることを決定することに応答して、前記メディアアセットを視聴するためのアクセスを許可するための前記一時的インジケーションを削除することと
をさらに含む、項目４２−４３のいずれかに記載の方法。
（項目４５）
ユーザ入力を受信し、記憶のために前記メディアアセットをスケジュールすることと、
前記ユーザ入力を受信することに応答して、対応する複数の動作へのアクセスを制限するための複数の選択可能なオプションを伴うユーザインターフェースを表示するために生成することと、
対応する動作へのアクセスを制限するための選択可能なオプションの選択を受信することと、
前記選択を受信することに応答して、ペアレンタルコントロールデータベースの中に、前記動作が前記第２の認可コードを要求するという情報を記憶することと
をさらに含む、項目４２−４４のいずれかに記載の方法。
（項目４６）
前記第１の時間に生成される前記第２の識別子に合致しない前記伝送された第２の認可コードに基づいて、前記メディアアセットと関連付けられる前記動作を実行する認可を許可しないインジケーションを受信することに応答して、ペアレンタルコントロールデータベースにクエリを行い、前記動作を可能にするための代替的な第２の認可コードがあるかどうかを決定することと、
前記動作を可能にするための前記代替的な第２の認可コードがあることを決定することに応答して、前記代替的な第２の認可コードを入力するためのインジケーションを表示するために生成することと
をさらに含む、項目４２−４５のいずれかに記載の方法。
（項目４７）
前記メディアアセットにアクセスしたユーザの識別子を含むユーザデータベースにアクセスすることと、
識別子と関連付けられる前記ユーザデータベース内のフィールドから、前記メディアアセットにアクセスしたユーザと関連付けられるデバイスの連絡先情報を読み出すことと、
前記メディアアセットと関連付けられる前記動作が受信されたという前記ユーザへの通知を前記連絡先情報に基づく前記デバイスに伝送することと
をさらに含む、項目４２−４６のいずれかに記載の方法。
（項目４８）
前記フィールドは、第１のフィールドであり、
前記デバイスから、前記動作を防止するためのインジケーションを受信することと、
前記インジケーションを前記メディアアセットと関連付けられる前記ペアレンタルコントロールデータベースの第２のフィールドの中に記憶することであって、前記インジケーションは、前記動作が実行されることを防止する、ことと
をさらに含む、項目４７に記載の方法。
（項目４９）
前記メディアアセットに対応するデータを含むメモリのブロックにアクセスすることと、
前記メディアアセットに対応する前記メモリのブロックの中に含まれる前記データを第２のユーザ機器にコピーすることと
をさらに含む、項目４２−４７のいずれかに記載の方法。
（項目５０）
前記データをコピーすることに応答して、前記ペアレンタルコントロールデータベース内の前記メディアアセットと関連付けられるフィールドの中に、前記メディアアセットが前記第２のユーザ機器にコピーされたというインジケーションを記憶することと、
前記第１のユーザ機器上で前記メディアアセットにアクセスするための第３の要求を受信することと、
前記メディアアセットが前記第２のユーザ機器にコピーされている間に、前記第１のユーザ機器上の前記メディアアセットへのアクセスを防止することと
をさらに含む、項目４９に記載の方法。
（項目５１）
現在記憶されているメディアアセットを含む視聴進捗データ構造にアクセスすることと、
前記メディアアセットのためのフィールドの中に、前記メディアアセットが最後まで視聴されたというインジケーションを記憶することと
をさらに含む、項目４２−５０のいずれかに記載の方法。